(57)【要約】【課題】携帯機器を電源プラグに確実に接続して電池を充電しながら、簡単にケースから外す。【解決手段】充電台は、装着部２を有するケース１と、装着部２にセットされる携帯機器４０に接続される電源プラグ３０とを備えている。電源プラグ３０は、両側に係止機構３１の係止状態を解除できる押圧部３４を有する。さらに、充電台は、電源プラグ３０の両側に、一対のラックプッシャ４を配設している。一対のラックプッシャ４は、互いに対向する面にラック５を有すると共に、各々のラック５にひとつのピニオン６を噛み合うように配設しており、さらに、一方のラックプッシャ４をラック５の方向に移動させる解除ボタン７をケース１に設けている。この充電台は、解除ボタン７を押すと、ピニオン６を介して一対のラックプッシャ４が電源プラグ３０の係止機構３１の押圧部３４を押す方向に移動して押圧部３４を押圧して、電源プラグ３０の係止状態を解除する。【選択図】図５
2009252602.tif 000002
【特許請求の範囲】
【請求項１】
携帯機器(40)を脱着自在にセットできる装着部(2)を有するケース(1)と、このケース(1)の装着部(2)にセットされる携帯機器(40)に接続されて携帯機器(40)に内蔵される電池を充電する係止機構(31)を有する電源プラグ(30)とを備え、電源プラグ(30)が、両側に係止機構(31)の係止状態を解除できる押圧部(34)を有し、この押圧部(34)が押されて係止状態を解除するようにしてなる充電台であって、
前記電源プラグ(30)の両側であって係止機構(31)の押圧部(34)を押す位置に、一対のラックプッシャ(4)を配設しており、一対のラックプッシャ(4)は、互いに対向する面にラック(5)を有すると共に、各々のラック(5)にひとつのピニオン(6)を噛み合うように配設しており、さらに、一方のラックプッシャ(4)をラック(5)の方向に移動させる解除ボタン(7)をケース(1)に設けており、
解除ボタン(7)が押されてピニオン(6)を介して一対のラックプッシャ(4)が電源プラグ(30)の係止機構(31)の押圧部(34)を押す方向に移動されて押圧部(34)を押圧して、電源プラグ(30)の係止状態を解除するようにしてようにしてなる充電台。
【請求項２】
前記解除ボタン(7)がラックプッシャ(4)を長手方向に移動させる傾斜面(7a)を有し、解除ボタン(7)が押されて、傾斜面(7a)で一方のラックプッシャ(4)を長手方向に移動させるようにしてなる請求項１に記載される充電台。
【請求項３】
前記携帯機器(40)が携帯電話である請求項１に記載される充電台。
【請求項４】
前記ケース(1)に、携帯機器(40)を弾性的に押し出す方向に付勢する押出ノブ(15)を設けている請求項１に記載される充電台。
【請求項５】
前記電源プラグ(31)がＡＣアダプタ(35)に接続されてなる請求項１に記載される充電台。
【発明の詳細な説明】
【技術分野】
【０００１】
本発明は、携帯電話等の携帯機器を脱着自在にセットして内蔵する電池を充電する充電台に関する。
【背景技術】
【０００２】
携帯電話などの携帯機器をセットして内蔵する電池を充電する充電台は開発されている。（特許文献１参照）
特許文献１の充電台を図１と図２に示す。この充電台は、携帯機器９０を脱着できるようにセットするケース９１に電源プラグ９２を設けている。電源プラグ９２は、携帯機器９０に接続される状態にロックして抜けないように係止機構９３を設けている。係止機構９３は、電源プラグ９２を携帯機器９０に挿入する状態で抜けないように引っかけてロックする係止フック９４を備える。この係止フック９４は、弾性的に突出して、携帯機器９０に挿入されると、携帯機器９０に設けている係止部（図示せず）に引っかけられて抜けない状態にロックする。携帯機器９０を電源プラグ９２から引き抜くときに、係止機構９３は解除される。係止機構９３を解除するために、電源プラグ９２の両側に押圧部９５を設けている。この押圧部９５が押されると係止状態が解除されて、携帯機器９０を電源プラグ９２から引き抜きできる状態となる。この電源プラグ９２は、確実に携帯機器９０に接続されて、携帯機器９０に内蔵される電池を充電できる。ただ、携帯機器９０を充電台から外すときに、電源プラグ９２の両側に設けている係止機構９３の押圧部９５を押す必要がある。係止状態を解除するために、図の充電台は、ケース９１の両側に一対の解除ボタン９６を設けている。両方の解除ボタン９６が押されると、これが電源プラグ９２の係止機構９３の押圧部９５を押して係止状態が解除される。
【特許文献１】特開２００２−２７１５１１号公報
【発明の開示】
【発明が解決しようとする課題】
【０００３】
図１と図２に示す充電台は、携帯機器を確実に電源プラグに接続して電池を充電できるが、電池が充電されてケースの装着部から外すときに、ふたつの解除ボタンを確実に押して、係止状態を解除する必要がある。このため、携帯機器の脱着に手間がかかる欠点がある。とくに、ふたつの解除ボタンを同時に確実に押して係止状態を解除するので、外すのに手間がかかる欠点がある。
【０００４】
本発明は、さらにこの欠点を解決することを目的に開発されたものである。本発明の重要な目的は、携帯機器を電源プラグに確実に接続して電池を充電しながら、簡単にケースから外すことができる充電台を提供することにある。
また、本発明の他の大切な目的は、簡単な構造としながら、携帯機器を簡単にケースから外すことができる充電台を提供することにある。
【課題を解決するための手段】
【０００５】
本発明の充電台は、前述の目的を達成するために以下の構成を備える。
充電台は、携帯機器４０を脱着自在にセットできる装着部２を有するケース１と、このケース１の装着部２にセットされる携帯機器４０に接続されて携帯機器４０に内蔵される電池を充電する係止機構３１を有する電源プラグ３０とを備えている。電源プラグ３０は、両側に係止機構３１の係止状態を解除できる押圧部３４を有し、この押圧部３４が押されて係止状態を解除する。さらに、充電台は、電源プラグ３０の両側であって、係止機構３１の押圧部３４を押す位置に、一対のラックプッシャ４を配設している。一対のラックプッシャ４は、互いに対向する面にラック５を有すると共に、各々のラック５にひとつのピニオン６を噛み合うように配設しており、さらに、一方のラックプッシャ４をラック５の方向に移動させる解除ボタン７をケース１に設けている。この充電台は、解除ボタン７を押すと、ピニオン６を介して一対のラックプッシャ４が電源プラグ３０の係止機構３１の押圧部３４を押す方向に移動して押圧部３４を押圧して、電源プラグ３０の係止状態を解除する。
【０００６】
本発明の請求項２の充電台は、解除ボタン７が、ラックプッシャ４を長手方向に移動させる傾斜面７ａを有している。この充電台は、解除ボタン７が押されると、傾斜面７ａで一方のラックプッシャ４を長手方向に移動させる。
【０００７】
本発明の請求項３の充電台は、携帯機器４０を携帯電話としている。さらに、本発明の請求項４の充電台は、ケース１に、携帯機器４０を弾性的に押し出す方向に付勢する押出ノブ１５を設けている。さらにまた、本発明の請求項５の充電台は、電源プラグ３０をＡＣアダプタ３５に接続している。
【発明の効果】
【０００８】
本発明の充電台は、携帯機器を電源プラグに確実に接続して電池を充電しながら、簡単にケースから外すことができる特徴がある。それは、本発明の充電台が、従来の充電台のように、ふたつの解除ボタンを一緒に押すことなく、ひとつの解除ボタンを押して、一対のラックプッシャで電源プラグの押圧部を押して係止状態を解除できるからである。とくに、本発明の充電台は、一対のラックプッシャをピニオンで反対方向に移動する構造として、一方のラックプッシャを解除ボタンで移動させることから、簡単な構造としながら、ひとつの解除ボタンを押して携帯機器を簡単にケースから外すことができる特徴がある。
【０００９】
本発明の請求項２の充電台は、解除ボタンが押されると、傾斜面で一方のラックプッシャを長手方向に移動させるので、解除ボタンでラックプッシャを長手方向に移動させて係止状態を解除できる。
【００１０】
本発明の請求項３の充電台は、携帯機器を携帯電話としているので、携帯電話に内蔵する電池を確実に充電でき、また電池が満充電された後は、解除ボタンを押して携帯電話を簡単にケースから外すことができる。
【００１１】
本発明の請求項４の充電台は、ケースに、携帯機器を弾性的に押し出す方向に付勢する押出ノブを設けており、この押出ノブで携帯機器を弾性的に外す方向に押しているので、解除ボタンを押して、電源プラグと携帯機器との係止状態を解除して、携帯機器をケースから簡単に、しかも速やかに外すことができる。
【００１２】
本発明の請求項５の充電台は、電源プラグをＡＣアダプタに接続しているので、電源プラグを直接にＡＣアダプタに接続して、ケースの装着部にセットされる携帯機器の電池を確実に充電できる。とくに、ＡＣアダプタから携帯機器の間に設けるコネクタなどの接続カ所を少なくして、接触不良による弊害を防止して確実に電池を充電できる。
【発明を実施するための最良の形態】
【００１３】
以下、本発明の実施例を図面に基づいて説明する。ただし、以下に示す実施例は、本発明の技術思想を具体化するための充電台を例示するものであって、本発明は充電台を以下のものに特定しない。
【００１４】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１５】
図３ないし図１２に示す充電台は、携帯機器４０を脱着自在にセットできる装着部２を有するケース１と、このケース１の装着部２にセットされる携帯機器４０に接続されて携帯機器４０に内蔵される電池を充電する係止機構３１を有する電源プラグ３０とを備える。電源プラグ３０は、ＡＣアダプタ３５に接続している。したがって、携帯電話などの携帯機器４０が電源プラグ３０に接続されると、携帯機器４０に内蔵される電池が充電される。
【００１６】
電源プラグ３０は、図１３に示すように、携帯機器４０に接続される状態でロックされる係止機構３１を備える。この係止機構３１は、すでに市販されている電源プラグに内蔵される係止機構と同じ機構であって、電源プラグ３０の挿入部３２を携帯機器４０にロック状態に係止する係止フック３３を内蔵している。係止フック３３は、電源プラグ３０に内蔵される弾性体（図示せず）で、携帯機器４０に挿入される挿入部３２の表面に弾性的に突出している。この係止フック３３は、挿入部３２を携帯機器４０に挿入するときには弾性的に押し込まれ、挿入部３２が携帯機器４０に挿入される状態では、携帯機器４０に設けている係止部（図示せず）に係止されて、抜けないロック状態となる。係止フック３３の係止状態を解除するために、電源プラグ３０の両側には押圧部３４を設けている。この押圧部３４は、押し込まれて係止状態が解除されるように係止フック３３に連結している。この電源プラグ３０は、挿入部３２を携帯機器４０に挿入して、係止状態にロックされる。両側の押圧部３４が押されると、係止フック３３の係止状態が解除されて、携帯機器４０を電源プラグ３０から引き抜きできる状態となる。したがって、携帯機器４０が電源プラグ３０から外されるとき、押圧部３４が押されて係止状態が解除される。
【００１７】
ケース１は、後ろに傾斜する姿勢で携帯機器４０をセットできる装着部２を上面に設けている。装着部２は、その両側には、携帯機器４０を保持する挿入溝１３を設けて、底部に電源プラグ３０を突出するように連結している。電源プラグ３０は、挿入部３２を装着部２に突出するように、ケース１に連結している。電源プラグ３０は、ケース１に内蔵しているインナーケース３に固定している。インナーケース３は、図１０と図１１に示すように背面に電源プラグ３０を嵌着して定位置に固定する嵌着凹部２０を設けている。嵌着凹部２０に嵌着された電源プラグ３０は、インナーケース３の背面に連結している開閉カバー１０で定位置に配置される。
【００１８】
開閉カバー１０はプラスチック製で、図１０と図１１において左端に、上下に伸びる回転軸１１を、右端部には、弾性フック１２を一体的に成形して設けている。上下に伸びる回転軸１１は、インナーケース３に設けた連結部２１に挿入されて、開閉カバー１０を開閉できるように連結している。開閉カバー１０を開いた状態で、インナーケース３の嵌着凹部２０に電源プラグ３０がセットされる。この状態で、開閉カバー１０を閉じて、電源プラグ３０をインナーケース３の定位置に配置する。閉じられた開閉カバー１０は、弾性フック１２をインナーケース３に設けた引っ掛け部２２に係止して、閉じる状態に保持される。この構造は、開閉カバー１０を閉じて電源プラグ３０をインナーケース３の嵌着凹部２０に確実に固定できる。また、開閉カバー１０を開いて電源プラグ３０をインナーケース３から簡単に外すことができる。したがって、この構造は、電源プラグ３０を定位置に確実に固定しながら、簡単に脱着できる特徴がある。
【００１９】
さらに、ケース１は、電源プラグ３０の両側であって、係止機構３１の押圧部３４を押す位置に、一対のラックプッシャ４を配設している。一対のラックプッシャ４は、インナーケース３に長手方向に移動できるように連結される。図５ないし図７のインナーケース３は、一対のラックプッシャ４を長手方向に、図において水平方向に往復運動できるように保持するガイドリブ２３を一体的に成形して設けている。ガイドリブ２３は、ラックプッシャ４の上下に沿って水平方向に伸びるように設けられて、ラックプッシャ４を水平方向に移動できるように保持する。さらに、図５ないし図７のインナーケース３は、ラックプッシャ４に設けた両端を閉塞しているスリット４ａに案内されるストッパリブ２４も一体的に成形して設けている。ストッパリブ２４は、ラックプッシャ４のスリット４ａに案内されて、ラックプッシャ４が往復運動する位置を特定する。さらに、ストッパリブ２４とラックプッシャ４の一方の閉塞部４ｂとの間に押しバネ８を入れている。押しバネ８は、ラックプッシャ４が電源プラグ３０の押圧部３４を押さない方向に付勢している。
【００２０】
一対のラックプッシャ４は、互いに反対方向に往復運動するように、対向する面にラック５を設けて、各々のラック５にひとつのピニオンを噛み合うように配設している。水平方向に往復運動するラックプッシャ４は、上側のラックプッシャ４の下面と、下側のラックプッシャ４の上面にラック５を設けて、上下のラック５の間にピニオン６を配設している。ピニオン６は、インナーケース３に一体的に成形して設けた回転軸２５に回転できるように挿入されて、インナーケース３に回転できるように連結している。
【００２１】
さらに、一方のラックプッシャ４をラック５の方向に移動させる解除ボタン７をケース１に設けている。解除ボタン７は、ケース１に設けた貫通孔１４から前面に突出して設けられる。この解除ボタン７は、出入りできるが水平方向には移動しないようにケース１の貫通孔１４に挿入している。解除ボタン７は、押されて、一方のラックプッシャ４を長手方向に移動させる。解除ボタン７は、ラックプッシャ４を係止状態を解除する方向に移動させる。図８と図９に示す解除ボタン７は、ラックプッシャ４を水平方向に移動させる傾斜面７ａを有する。傾斜面７ａは、図において右側のラックプッシャ４の端部に接近して配設されて、このラックプッシャ４を係止機構３１の解除方向に移動させる。この傾斜面７ａは、解除ボタン７が押し込まれると、ラックプッシャ４を解除方向に移動させるように、押し込み方向において、ラックプッシャ４を強制的に押圧する方向に傾斜している。この機構は、図６と図７に示すように、右側のラックプッシャ４が解除ボタン７で解除方向に移動されると、このラックプッシャ４がピニオン６を回転し、回転するピニオン６が、左側のラックプッシャ４を解除方向に移動させる。したがって、解除ボタン７が押されると、両方のラックプッシャ４が電源プラグ３０の両側に設けている押圧部３４を押して係止状態を解除する。
【００２２】
さらに、図に示すケース１は、係止状態が解除されて携帯機器４０をスムーズにケース１の装着部２から外すことができるように、携帯機器４０を弾性的に押し出す方向に付勢する押出ノブ１５を設けている。図のケース１は、装着部２の両端部に押出ノブ１５を設けている。押出ノブ１５は、コイルスプリングからなる押しバネ１６に下端を押されて、携帯機器４０の両端部を下から上に弾性的に押し上げて、装着部２からスムーズに外すようにしている。
【００２３】
以上の充電台は以下のようにして使用される。
（１）携帯機器の電池を充電する状態
図４と図６に示すように、ケース１の装着部２に携帯電話などの携帯機器４０をセットする。装着部２にセットされる携帯機器４０は、装着部２の底部に設けている電源プラグ３０が挿入される。携帯機器４０に挿入される電源プラグ３０は係止フック３３で係止状態にロックされる。したがって、電源プラグ３０を確実に携帯機器４０に接続する状態にロックされる。この状態で、電源プラグ３０に接続しているＡＣアダプタ３５から電力を供給して、携帯機器４０に内蔵している電池を充電する。
【００２４】
（２）携帯機器を装着部から外す状態
携帯機器４０の電池が満充電されると、図９に示すように、解除ボタン７を押して携帯機器４０を装着部２から外す。解除ボタン７が押されると、図７と図９に示すように、一対のラックプッシャ４が電源プラグ３０の押圧部３４を押して係止状態を解除する。係止状態が解除された携帯機器４０は、押出ノブ１５に弾性的に押し上げられて、装着部２からスムーズに外される。
【図面の簡単な説明】
【００２５】
【図１】従来の充電台の斜視図である。
【図２】図１に示す充電台の断面図である。
【図３】本発明の一実施例にかかる充電台の斜視図である。
【図４】図３に示す充電台に携帯機器を装着した状態を示す斜視図である。
【図５】図３に示す充電台の内部構造を示す断面斜視図である。
【図６】図４に示す充電台のＡ−Ａ線断面図である。
【図７】図６に示す充電台の解除ボタンを押した状態を示す断面図である。
【図８】図６に示す充電台のＢ−Ｂ線断面図である。
【図９】図８に示す充電台の解除ボタンを押した状態を示す断面図である。
【図１０】図３に示す充電台を底面から見た背面斜視図である。
【図１１】図１０に示す充電台の開閉カバーを開いた状態を示す背面斜視図である。
【図１２】電源プラグとラックプッシャとピニオンと解除ボタンの位置関係を示す斜視図である。
【図１３】電源プラグの平面図である。
【符号の説明】
【００２６】
１…ケース
２…装着部
３…インナーケース
４…ラックプッシャ              ４ａ…スリット
４ｂ…閉塞部
５…ラック
６…ピニオン
７…解除ボタン                  ７ａ…傾斜面
８…押しバネ
１０…開閉カバー
１１…回転軸
１２…弾性フック
１３…挿入溝
１４…貫通孔
１５…押出ノブ
１６…押しバネ
２０…嵌着凹部
２１…連結部
２２…引っ掛け部
２３…ガイドリブ
２４…ストッパリブ
２５…回転軸
３０…電源プラグ
３１…係止機構
３２…挿入部
３３…係止フック
３４…押圧部
３５…ＡＣアダプタ
４０…携帯機器
９０…携帯機器
９１…ケース
９２…電源プラグ
９３…係止機構  
９４…係止フック
９５…押圧部
９６…解除ボタン
【図１】
2009252602.tif 000003
【図２】
2009252602.tif 000004
【図３】
2009252602.tif 000005
【図４】
2009252602.tif 000006
【図５】
2009252602.tif 000007
【図６】
2009252602.tif 000008
【図７】
2009252602.tif 000009
【図８】
2009252602.tif 000010
【図９】
2009252602.tif 000011
【図１０】
2009252602.tif 000012
【図１１】
2009252602.tif 000013
【図１２】
2009252602.tif 000014
【図１３】
2009252602.tif 000015